(57)【要約】【課題】抽選による方法は、抽選に応募する権利を得るために、商品の購入者が繰り返しその商品を購入する効果が期待できるが、その商品購入者以外の一般公衆に対して宣伝広告をするという効果は小さい。また、テレビＣＭ，広告ポスターの掲示、広告ビラの頒布などの方法は、一般公衆に対する宣伝広告効果は期待できるが、実際に商品を購入しているわけではないため、抽選に応募する権利獲得のために繰り返しその商品を購入するという効果は小さい。【解決手段】第一の発明は、少なくとも、所定の発声を求めるための発声要求を含む発声要求案内情報を送信する発声要求送信部と、前記発声要求送信部から送信された発声要求案内情報に基づいて行われる発声情報を取得する発声取得部と、前記発声取得部で取得した発声情報が所定の条件を充たしているか判断する発声判断部と、を有することを特徴とする合言葉サーバ装置に関する。【選択図】  図１
2004240895.tif 000002
【特許請求の範囲】
【請求項１】
少なくとも、所定の発声を求めるための発声要求を含む発声要求案内情報を送信する発声要求送信部と、
前記発声要求送信部から送信された発声要求案内情報に基づいて行われる発声情報を取得する発声取得部と、
前記発声取得部で取得した発声情報が所定の条件を充たしているか判断する発声判断部と、
を有する合言葉サーバ装置。
【請求項２】
購入商品に基づいて割り当てられた権利を表象するための権利識別番号と、その商品を購入した者の携帯電話番号である購入者電話番号と、を含む購入者情報を取得する購入者情報取得部と、
前記購入者情報取得部で取得した権利識別番号が前記権利を真正に表象するものであるか判断する判断部と、
少なくとも、所定の発声を求めるための発声要求を含む発声要求案内情報を保持する発声要求案内情報保持部と、
前記判断部での判断結果が前記権利識別番号が真正なものであるとの判断結果である場合に、前記発声要求案内情報保持部に保持されている発声要求案内情報を前記購入者電話番号を宛先として送信する発声要求送信部と、
前記発声要求送信部から送信された発声要求案内情報に基づいて行われる発声情報を取得する発声取得部と、
前記発声取得部で取得した発声情報が所定の条件を充たしているか判断する発声判断部と、
を有する合言葉サーバ装置。
【請求項３】
前記発声要求が、前記商品の宣伝広告のための発声を含む発声要求である請求項２に記載の合言葉サーバ装置。
【請求項４】
前記所定の条件とは、発声情報に含まれる音の大きさに関する条件である請求項１から３のいずれか一に記載の合言葉サーバ装置。
【請求項５】
前記所定の条件とは、発声情報に含まれる発声の時間に関する条件である請求項１から３のいずれか一に記載の合言葉サーバ装置。
【請求項６】
前記発声情報には、発声の場所に関する情報が含まれ、
前記所定の条件とは、発声情報に含まれる発声の場所に関する条件である請求項１から３のいずれか一に記載の合言葉サーバ装置。
【請求項７】
前記所定の条件とは、発声情報に含まれる発声の回数に関する条件である請求項１から３のいずれか一に記載の合言葉サーバ装置。
【請求項８】
前記購入者情報を送信する購入者情報送信部と、
前記発声要求案内情報を受信する発声要求受信部と、
前記発声要求受信部で受信した発声要求案内情報に基づいて行われる発声を入力するための発声入力部と、
前記発声入力部に入力された発声に基づいて前記発声音を含む発声情報を生成する発声情報生成部と、
前記発声情報生成部で生成された発声情報を送信する発声情報送信部と、
を有する合言葉端末装置。
【請求項９】
少なくとも、所定の発声を求めるための発声要求を含む発声要求案内情報を送信する発声要求送信ステップと、
前記発声要求送信ステップから送信された発声要求案内情報に基づいて行われる発声情報を取得する発声取得ステップと、
前記発声取得ステップで取得した発声情報が所定の条件を充たしているか判断する発声判断ステップと、
を含む合言葉サーバ判断方法。
【請求項１０】
購入商品に基づいて割り当てられた権利を表象するための権利識別番号と、その商品を購入した者の携帯電話番号である購入者電話番号と、を含む購入者情報を取得する購入者情報取得ステップと、
前記購入者情報取得ステップで取得した権利識別番号が前記権利を真正に表象するものであるか判断する判断ステップと、
少なくとも、所定の発声を求めるための発声要求を含む発声要求案内情報を保持する発声要求案内情報保持ステップと、
前記判断ステップでの判断結果が前記権利識別番号が真正なものであるとの判断結果である場合に、前記発声要求案内情報保持ステップに保持されている発声要求案内情報を前記購入者電話番号を宛先として送信する発声要求送信ステップと、
前記発声要求送信ステップから送信された発声要求案内情報に基づいて行われる発声情報を取得する発声取得ステップと、
前記発声取得ステップで取得した発声情報が所定の条件を充たしているか判断する発声判断ステップと、
を含む合言葉サーバ判断方法。
【請求項１１】
前記発声要求が、前記商品の宣伝広告のための発声を含む発声要求である請求項１０に記載の合言葉サーバ判断方法。
【請求項１２】
前記所定の条件とは、発声情報に含まれる音の大きさに関する条件である請求項９から１１のいずれか一に記載の合言葉サーバ判断方法。
【請求項１３】
前記所定の条件とは、発声情報に含まれる発声の時間に関する条件である請求項９から１１のいずれか一に記載の合言葉サーバ判断方法。
【請求項１４】
前記発声情報には、発声の場所に関する情報が含まれ、
前記所定の条件とは、発声情報に含まれる発声の場所に関する条件である請求項９から１１のいずれか一に記載の合言葉サーバ判断方法。
【請求項１５】
前記所定の条件とは、発声情報に含まれる発声の回数に関する条件である請求項９から１１のいずれか一に記載の合言葉サーバ判断方法。
【請求項１６】
前記購入者情報を送信する購入者情報送信ステップと、
前記発声要求案内情報を受信する発声要求受信ステップと、
前記発声要求受信ステップで受信した発声要求案内情報に基づいて行われる発声を入力するための発声入力ステップと、
前記発声入力ステップに入力された発声に基づいて前記発声音を含む発声情報を生成する発声情報生成ステップと、
前記発声情報生成ステップで生成された発声情報を送信する発声情報送信ステップと、
を含む合言葉端末判断方法。
【発明の詳細な説明】
【０００１】
【発明の属する技術分野】
本発明は、商品購入者が指定の合言葉を叫ぶことにより、商品の販売促進を図る合言葉サーバ装置に関する。
【０００２】
【従来の技術】
商品の販売促進の方法としては、抽選による景品の付与や、宣伝広告による販売促進の方法が考えられている。この抽選による景品の付与は、商品の購入者が商品に貼付された応募シールを一定枚数集めて、応募シールを郵送する方法により行われるのが一般的である。例えば、缶ジュースや缶ビール等飲料水の容器に貼付された応募シールが代表的である。また、抽選方法としては、例えば、特開２００１−３０６７４８に開示されたようなインターネットを介して抽選管理を行うことにより、作業の効率化による時間と経費の無駄をなくす方法などが提案されている。また、宣伝広告による方法としては、テレビＣＭ，広告ポスターの掲示、広告ビラの頒布などの方法が広く行われている。
【０００３】
【特許文献１】
特開２００１−３０６７４８
【０００４】
【発明が解決しようとする課題】
しかしながら、抽選による方法は、抽選に応募する権利を得るために、商品の購入者が繰り返しその商品を購入する効果が期待できるが、その商品購入者以外の一般公衆に対して宣伝広告をするという効果は小さい。また、テレビＣＭ，広告ポスターの掲示、広告ビラの頒布などの方法は、一般公衆に対する宣伝広告効果は期待できるが、実際に商品を購入しているわけではないため、抽選に応募する権利獲得のために繰り返しその商品を購入するという効果は小さい。
【０００５】
【課題を解決するための手段】
本発明は、上記課題に鑑みてなされたものである。
【０００６】
一般公衆の面前、例えば渋谷、新宿などの繁華街の中で、商品購入者に突然商品名などの合言葉を叫ばせることで一般公衆をビックリさせ、興味を持たせることにより印象を持つ割合を高くし、その商品を認知させることを目的とする。また、発声された合言葉が所定の条件を満足している場合には、景品を進呈することにより、商品購入者に繰り返しその商品を購入してもらうことを目的とする。
【０００７】
第一の発明は、少なくとも、所定の発声を求めるための発声要求を含む発声要求案内情報を送信する発声要求送信部と、前記発声要求送信部から送信された発声要求案内情報に基づいて行われる発声情報を取得する発声取得部と、前記発声取得部で取得した発声情報が所定の条件を充たしているか判断する発声判断部と、を有することを特徴とする合言葉サーバ装置に関する。
【０００８】
第二の発明は、購入商品に基づいて割り当てられた権利を表象するための権利識別番号と、その商品を購入した者の携帯電話番号である購入者電話番号と、を含む購入者情報を通信により取得する購入者情報取得部と、前記購入者情報取得部で取得した権利識別番号が前記権利を真正に表象するものであるか判断する判断部と、少なくとも、所定の発声を求めるための発声要求を含む発声要求案内情報を保持する発声要求案内情報保持部と、前記判断部での判断結果が前記権利識別番号が真正なものであるとの判断結果である場合に、前記発声要求案内情報保持部に保持されている発声要求案内情報を前記購入者電話番号を宛先として送信する発声要求送信部と、前記発声要求送信部から送信された発声要求案内情報に基づいて行われる発声情報を取得する発声取得部と、前記発声取得部で取得した発声情報が所定の条件を充たしているか判断する発声判断部と、を有することを特徴とする合言葉サーバ装置に関する。
【０００９】
第三の発明は、前記購入者情報を送信する購入者情報送信部と、前記発声要求案内情報を受信する発声要求受信部と、前記発声要求受信部で受信した発声要求案内情報に基づいて行われる発声を入力するための発声入力部と、前記発声入力部に入力された発声に基づいて前記発声音を含む発声情報を生成する発声情報生成部と、前記発声情報生成部で生成された発声情報を送信する発声情報送信部と、を有することを特徴とする合言葉端末装置に関する。
【００１０】
【発明の実施の形態】
以下に本件発明の実施の形態を説明する。実施の形態と、請求項との関係はおおむね次のようなものである。
【００１１】
実施の形態１は、主に、請求項１、請求項９などについて説明している。
【００１２】
実施の形態２は、主に、請求項２、請求項１０などについて説明している。
【００１３】
実施の形態３は、主に、請求項３、請求項１１などについて説明している。
【００１４】
実施の形態４は、主に、請求項４、請求項１２などについて説明している。
【００１５】
実施の形態５は、主に、請求項５、請求項１３などについて説明している。
【００１６】
実施の形態６は、主に、請求項６、請求項１４などについて説明している。
【００１７】
実施の形態７は、主に、請求項７、請求項１５などについて説明している。
【００１８】
実施の形態８は、主に、請求項８、請求項１６などについて説明している。
【００１９】
（実施の形態１）
【００２０】
＜実施の形態１の概念＞
【００２１】
図１に示すのは、実施の形態１の概念を示す図である。この図を用いながら、実施の形態１の概念を説明する。
【００２２】
合言葉サーバ装置は、送信先を選択し、選択した送信先である合言葉端末装置に、所定の発声情報つまり「合言葉」を発声するように、「合言葉」を含む発声要求案内情報を送信する。合言葉端末所有者は、所定の「合言葉」を発声する。発声された「合言葉」を受信した合言葉サーバ装置は、合言葉端末所有者の発声した「合言葉」が所定の「合言葉」かどうか比較する。条件を満足していれば、合言葉端末所有者に景品などを与えるようにする。
【００２３】
＜合言葉サーバ装置＞
【００２４】
次に合言葉サーバ装置について、説明する。
【００２５】
図２は実施の形態１の合言葉サーバ装置である。
【００２６】
合言葉サーバ装置（０２０１）は、発声要求送信部（０２０２）と、発声取得部（０２０３）と、発声判断部（０２０４）と、からなる。
【００２７】
（発声要求送信部）
【００２８】
「発声要求送信部」は、少なくとも、所定の発声を求めるための発声要求を含む発声要求案内情報を送信する。
【００２９】
ここで、「所定の発声」とは、具体例としては、「本日は晴天なり」などの合言葉、「○○コーヒー」などの商品名、「○○だよ！全員集合」などのテレビ番組の題名の発声などが該当する。また、人の声に限定されず、例えば「教会の１２時の鐘の音」、「海辺の波の音」など、人の発声以外の音に関するデータであってもよい。
【００３０】
また、「発声要求」とは、上記所定の発声を求める要求をいう。具体例としては、「「○○コーヒー」と発声してください」、「「○○コーヒー」とできるだけ大きな音で発声してください」、「「○○コーヒー」とできるだけ長く発声してください」、「「○○コーヒー」と○○の場所で発声してください」、「「○○コーヒー」とできるだけ多くの回数発声してください」、「「○○コーヒー」と○○人で発声してください」、「「○○コーヒー」と○○秒以内に発声してください」というような所定の発声「○○コーヒー」に対する要求が該当する。
【００３１】
また、「発声要求案内情報」とは、所定の発声を求めるための発声要求を含む情報のことをいう。
【００３２】
一例として、図２に示すように、発声要求を含む発声要求案内情報「発声要求「「○○コーヒー」と発声してください」、「発声先の電話番号：０３−１１１１−××××」、「○○コーヒーのコマーシャル情報」、「先着１００名様限定クーポン券の情報」など」が該当する。
【００３３】
なお、発声要求案内情報は、電子メールによって送信してもよいし、音声によって送信してもよい。
【００３４】
発声要求案内情報を取得する方法には、合言葉サーバ装置内で自動生成する方法、ネットワーク経由で他のサーバ装置から取得する方法あるいはフロッピー（登録商標）ディスクやＣＤ−ＲＯＭなどの記録媒体から取得する方法などがある。
【００３５】
また、取得された発声要求案内情報の送信先は、実際の商品購入者の携帯電話端末はもとより、一般人の携帯電話端末や一般の固定電話など、発声情報を送受信できる端末であればよい。送信先の選択は、合言葉サーバ装置が任意にしてもよい。例えば、合言葉サーバ装置に保持されている送信先リストの中から、ランダムに選択することができる。また、ある特定の職業、地域、性別、年齢、趣味などの人に絞って選択することもできる。
【００３６】
（発声取得部）
【００３７】
「発声取得部」は、発声要求送信部から送信された発声要求案内情報に基づいて行われる発声情報を取得する。
【００３８】
ここで「発声情報」とは、発声要求送信部から送信された発声要求案内情報に基づいて行われる発声音を含んだ情報をいう。例えば、発声情報には、発声音「○○コーヒー」の他に、音の大きさ「○○ｄＢ」、発声時間「○○秒」、発声場所「○丁目○番地」、発声回数「○○回」、発声人数「○○人」に関する情報が含まれていてもよい。
【００３９】
＜発声要求送信部から発声取得部までの処理の流れ＞
【００４０】
合言葉サーバ装置は、発声要求送信部から発声要求案内情報「発声要求「「○○コーヒー」と発声してください」、「発声先の電話番号：０３−１１１１−××××」、「○○コーヒーのコマーシャル情報」、「先着１００名様限定クーポン券の情報」など」を送信する。上記発声要求案内情報を受信した者は、発声先の電話番号：０３−１１１１−××××に発呼する。次に、発声要求に基づいて「○○コーヒー」と発声する。発声された発声音「○○コーヒー」（アナログデータ）は、合言葉端末装置側でデジタルデータ化されて発声情報「○○コーヒー」（デジタルデータ）となる。発声情報「○○コーヒー」（デジタルデータ）は、合言葉サーバ装置に向けて送信される。合言葉サーバ装置の発声取得部は、発声情報「○○コーヒー」（デジタルデータ）を取得する。
【００４１】
なお、上記説明では、発声された発声音は、合言葉端末装置側でデジタルデータ化され発声情報として送信されるとしたが、合言葉サーバ装置側でデジタルデータ化してもよい。この場合、発声された発声音「○○コーヒー」は、発声情報「○○コーヒー」（アナログデータ）として、合言葉サーバ装置に向けて送信される。合言葉サーバ装置の発声取得部は、発声情報「○○コーヒー」（アナログデータ）を取得する。取得された発声情報「○○コーヒー」（アナログデータ）はデジタルデータ化されて新たな発声情報「○○コーヒー」（デジタルデータ）となる。
【００４２】
さらに、上記説明では、発声情報の取得に際して、発声のための発呼は、合言葉端末装置側から行うものとしたが、合言葉サーバ装置側から行ってもよい。この場合、合言葉サーバ装置は、発声要求送信部から発声要求案内情報「発声要求「○○分後に呼び出し音が鳴りますので、呼び出し音の後、○○秒以内に「○○コーヒー」と発声してください」、「○○コーヒーのコマーシャル情報」、「先着１００名様限定クーポン券の情報」など」を送信する。合言葉サーバ装置は、発声要求案内情報送信○○分後に合言葉端末装置に発呼する。次に、発声要求案内情報受信者は、呼び出し音の後、○○秒以内に発声要求に基づいて「○○コーヒー」と発声する。発声された発声音「○○コーヒー」（アナログデータ）は、合言葉端末装置側でデジタルデータ化されて発声情報「○○コーヒー」（デジタルデータ）となる。発声情報「○○コーヒー」（デジタルデータ）は、合言葉サーバ装置に向けて送信される。合言葉サーバ装置の発声取得部は、発声情報「○○コーヒー」（デジタルデータ）を取得する。なお、発声された発声音は、合言葉端末装置側でデジタルデータ化され発声情報として送信されるとしたが、合言葉サーバ装置側でデジタルデータ化してもよい。この場合の処理の流れは、合言葉端末装置側から、発声のための発呼をする場合と同様なので、説明は省略する。
【００４３】
（発声判断部）
【００４４】
「発声判断部」は、発声取得部で取得した発声情報が所定の条件を充たしているか判断する。
【００４５】
ここで「所定の条件」とは、前記発声要求にて要求される発声が行われたなら満たされるであろう条件をいう。
【００４６】
例えば、送信した発声要求が「「○○コーヒー」と発声してください」であるとする。
【００４７】
このとき、発声判断部は、所定の条件を保持する部分から所定の条件を取り出し、自身に送信されてきた発声情報が、その所定の条件を満たすか比較して判断する。
【００４８】
一例として、発声判断部は、所定の条件を保持する部分から所定の条件「○○コーヒー」（デジタルデータ）を取り出す。
【００４９】
また、発声取得部で取得した発声情報は、発声情報「○○コーヒー」（デジタルデータ）である。
【００５０】
したがって、所定の条件「○○コーヒー」（デジタルデータ）と発声情報「○○コーヒー」（デジタルデータ）を比較し、条件を満足していると判断する。
【００５１】
＜実施の形態１の動作＞
【００５２】
次に、実施の形態１の動作を、図３に示す動作フローチャートに基づいて説明する。
【００５３】
まず、合言葉サーバ装置は、送信する発声要求案内情報を、自動生成、ネットワーク経由あるいは記録媒体等により取得する（ステップＳ０３０１）。
【００５４】
次に、ステップＳ０３０１にて取得した発声要求案内情報を選択した送信先の合言葉端末装置を宛先として送信する（ステップＳ０３０２）。
【００５５】
次に、ステップＳ０３０２にて送信された発声要求案内情報に基づいて行われる合言葉端末装置からの発声情報を取得する（ステップＳ０３０３）。
【００５６】
次に、ステップＳ０３０３にて取得した発声情報と送信した発声要求に含まれる所定の条件を比較する（ステップＳ０３０４）。
【００５７】
次に、ステップＳ０３０４にて比較した結果、取得した発声情報が所定の条件を満足しているかどうか判断する（Ｓ０３０５）。
【００５８】
最後に、所定の条件を満足した場合には、景品を進呈する。
【００５９】
また、所定の条件を満足していない場合でも、抽選によって景品を進呈することもできる。
【００６０】
（実施の形態２）
【００６１】
＜実施の形態２の概念＞
【００６２】
実施の形態２の概念を説明する。
【００６３】
消費者は、合言葉サーバ装置の連絡先等が記載されたシールが貼付されている商品を購入する。商品購入者は、シールに記載されている連絡先の合言葉サーバ装置にアクセスし、同じくシールに貼付されている権利識別番号を含む購入者情報を合言葉端末装置である携帯電話端末にて送信する。合言葉サーバ装置は、権利識別番号が真正なものであることを確認し、商品購入者に所定の「合言葉」を発声するように促す。商品購入者は携帯電話端末を介して所定の「合言葉」を発声する。すると合言葉サーバ装置は、商品購入者の発声した所定の「合言葉」を要求した発声条件と比較する。条件を満足していれば、商品購入者に景品などを与えるようにする。
【００６４】
＜合言葉サーバ装置＞
【００６５】
次に合言葉サーバ装置について、説明する。
【００６６】
図４は実施の形態２の合言葉サーバ装置である。
【００６７】
合言葉サーバ装置（０４０１）は、購入者情報取得部（０４０２）と、判断部（０４０３）と、発声要求案内情報保持部（０４０４）と、発声要求送信部（０４０５）と、発声取得部（０４０６）と、発声判断部（０４０７）と、からなる。
【００６８】
（購入者情報取得部）
【００６９】
「購入者情報取得部」は、購入商品に基づいて割り当てられた権利を表象するための権利識別番号と、その商品を購入した者の携帯電話番号である購入者電話番号と、を含む購入者情報を通信により取得する。
【００７０】
ここで、「権利識別番号」とは、ジュースなどの購入商品に貼付されているシールなどに記載されている番号であり、実際の商品の購入者であることを認証するための番号である。そして、商品購入者は、当該権利識別番号と所定の事項を入力し、当該シールに記載されている連絡先に送信することにより、景品を取得するための権利を取得することができる。
【００７１】
また、「購入者情報」は、前記権利識別番号と購入者番号に加えて、購入者の氏名、年齢、性別、職業、趣味、現在地情報等の情報を含んでいてもよい。図５に示すのは、購入者情報の一例である。ここで、権利識別番号（ＡＢＣ０１２３４５６７８９）と購入者電話番号（０９０−０１２３−××××）は必須の入力項目であり、その他の情報である氏名（山田太郎）、年齢（２５）、性別（男）、職業（会社員）、趣味（テニス）、現在地情報（ＪＲ東京駅）などはオプションである。
【００７２】
一例として、購入者情報取得部では、商品の購入者から送信された１３桁の権利識別番号「ＡＢＣ０１２３４５６７８９」と購入者電話番号「０９０−０１２３−××××」が取得される。
【００７３】
（判断部）
【００７４】
「判断部」は、購入者情報取得部で取得した権利識別番号が前記権利を真正に表象するものであるか判断する。
【００７５】
図６は、判断部（０６０１）でどのように権利識別番号が真正であると判断されるのかを概念的に示した図である。例えば、この判断部では、「ＡＡＡ００００００００００」、「ＡＡＡ１０００００００００」、・・・、「ＡＢＣ０１２３４５６７８９」、・・・、「ＺＺＺ０１２３４５６７８９」、「ＺＺＺ９９９９９９９９９」等、商品に貼付されたシールに記載の全権利番号が登録されている。前記購入者情報取得部で取得された１３桁の権利識別番号「ＡＢＣ０１２３４５６７８９」と判断部に登録されている権利番号リストを照合し、一致するものがあれば、取得された権利識別番号が真正なものであると判断する。照合した結果、一致するものがなければ権利識別番号が真正でないと判断し、その旨を商品購入者に通知する。
【００７６】
（発声要求案内情報保持部）
【００７７】
「発声要求案内情報保持部」は、少なくとも、所定の発声を求めるための発声要求を含む発声要求案内情報を保持する。
【００７８】
ここで、「所定の発声」とは、具体例としては、「本日は晴天なり」などの合言葉、「○○コーヒー」などの商品名、「○○だよ！全員集合」などのテレビ番組の題名の発声などが該当する。また、人の声に限定されず、例えば「教会の１２時の鐘の音」、「海辺の波の音」など、人の発声以外の音に関するデータであってもよい。
【００７９】
また、「発声要求」とは、上記所定の発声に対する要求のことをいう。具体例としては、「「本日は晴天なり」と発声してください」、「「本日は晴天なり」とできるだけ大きな音で発声してください」、「「本日は晴天なり」とできるだけ長く発声してください」、「「本日は晴天なり」と○○の場所で発声してください」、「「本日は晴天なり」と○○回発声してください」、「「本日は晴天なり」と○○人で発声してください」、「「本日は晴天なり」と○○秒以内に発声してください」というような所定の発声「本日は晴天なり」に対する要求が該当する。
【００８０】
また、「発声要求案内情報」とは、所定の発声を求めるための発声要求を含む情報のことをいう。
【００８１】
一例として、図７に示すように、発声要求を含む発声要求案内情報「発声要求「「本日は晴天なり」と発声してください」、「発声先の電話番号：０３−１１１１−××××」、「先着１００名様限定クーポン券の情報」など」が該当する。
【００８２】
発声要求案内情報を取得する方法には、合言葉サーバ装置内で自動生成する方法、ネットワーク経由で他のサーバ装置から取得する方法あるいはフロッピー（登録商標）ディスクやＣＤ−ＲＯＭなどの記録媒体から取得する方法などがある。自動生成する場合には、上記購入者情報に基づいて自動生成することもできる。例えば、オプションの入力項目「趣味」の欄が「テニス」となっていれば、発声要求案内情報「発声要求「「○○社のラケットはよくボールが飛ぶ」と発声してください」、「○○社のラケットのコマーシャル情報」、「○○社のラケットのクーポン券情報」など」のように、購入者情報に関連する発声要求案内情報を自動生成することもできる。
【００８３】
（発声要求送信部）
【００８４】
「発声要求送信部」は、「判断部」での判断結果が前記権利識別番号が真正なものであるとの判断結果である場合に、「発声要求案内情報保持部」に保持されている発声要求案内情報を前記購入者電話番号を宛先として送信する。
【００８５】
上記の例では、判断部にて商品の購入者から送信された１３桁の権利識別番号「ＡＢＣ０１２３４５６７８９」が真正なものであると判断されたとする。すると、発声要求送信部は、前記購入者電話番号「０９０−０１２３−××××」に、上記発声要求案内情報「発声要求「「本日は晴天なり」と発声してください」、「発声先の電話番号：０３−１１１１−××××」、「先着１００名様限定クーポン券の情報」など」を送信する。
【００８６】
また、発声要求案内情報は、電子メールによって送信してもよいし、音声によって送信してもよい。
【００８７】
（発声取得部）
【００８８】
「発声取得部」は、「発声要求送信部」から送信された発声要求案内情報に基づいて行われる発声情報を取得する。
【００８９】
ここで「発声情報」とは、発声要求送信部から送信された発声要求案内情報に基づいて行われる発声音を含んだ情報をいう。例えば、発声情報には、発声音「本日は晴天なり」の他に、音の大きさ「○○ｄＢ」、発声時間「○○秒」、発声場所「○丁目○番地」、発声回数「○○回」、発声人数「○○人」に関する情報が含まれていてもよい。
【００９０】
＜発声要求送信部から発声取得部までの処理の流れ＞
【００９１】
合言葉サーバ装置は、発声要求送信部から発声要求案内情報「発声要求「「本日は晴天なり」と発声してください」、「発声先の電話番号：０３−１１１１−××××」、「先着１００名様限定クーポン券の情報」など」を送信する。上記発声要求案内情報を受信した者は、発声先の電話番号：０３−１１１１−××××に発呼する。次に、発声要求に基づいて「本日は晴天なり」と発声する。発声された発声音「本日は晴天なり」（アナログデータ）は、図８に示すように、合言葉端末装置側でデジタルデータ化されて発声情報「本日は晴天なり」（デジタルデータ）となる。発声情報「本日は晴天なり」（デジタルデータ）は、合言葉サーバ装置に向けて送信される。合言葉サーバ装置の発声取得部は、発声情報「本日は晴天なり」（デジタルデータ）を取得する。
【００９２】
なお、上記説明では、発声された発声音は、合言葉端末装置側でデジタルデータ化され発声情報として送信されるとしたが、合言葉サーバ装置側でデジタルデータ化してもよい。この場合、発声された発声音「本日は晴天なり」は、発声情報「本日は晴天なり」（アナログデータ）として、合言葉サーバ装置に向けて送信される。合言葉サーバ装置の発声取得部は、発声情報「本日は晴天なり」（アナログデータ）を取得する。取得された発声情報「本日は晴天なり」（アナログデータ）はデジタルデータ化されて新たな発声情報「本日は晴天なり」（デジタルデータ）となる。
【００９３】
さらに、上記説明では、発声情報の取得に際して、発声のための発呼は、合言葉端末装置側から行うものとしたが、合言葉サーバ装置側から行ってもよい。この場合、合言葉サーバ装置は、発声要求送信部から発声要求案内情報「発声要求「○○分後に呼び出し音が鳴りますので、呼び出し音の後、○○秒以内に「本日は晴天なり」と発声してください」、「先着１００名様限定クーポン券の情報」など」を送信する。合言葉サーバ装置は、発声要求案内情報送信○○分後に合言葉端末装置に発呼する。次に、発声要求案内情報受信者は、呼び出し音の後、○○秒以内に発声要求に基づいて「本日は晴天なり」と発声する。発声された発声音「本日は晴天なり」（アナログデータ）は、合言葉端末装置側でデジタルデータ化されて発声情報「本日は晴天なり」（デジタルデータ）となる。発声情報「本日は晴天なり」（デジタルデータ）は、合言葉サーバ装置に向けて送信される。合言葉サーバ装置の発声取得部は、発声情報「本日は晴天なり」（デジタルデータ）を取得する。なお、発声された発声音は、合言葉端末装置側でデジタルデータ化され発声情報として送信されるとしたが、合言葉サーバ装置側でデジタルデータ化してもよい。この場合の処理の流れは、合言葉端末装置側から、発声のための発呼をする場合と同様なので、説明は省略する。
【００９４】
（発声判断部）
【００９５】
「発声判断部」は、発声取得部で取得した発声情報が所定の条件を充たしているか判断する。
【００９６】
ここで「所定の条件」とは、前記発声要求にて要求される発声が行われたなら満たされるであろう条件をいう。
【００９７】
例えば、送信した発声要求が「「本日は晴天なり」と発声してください」であるとする。
【００９８】
このとき、発声判断部は、所定の条件を保持する部分から所定の条件を取り出し、自身に送信されてきた発声情報が、その所定の条件を満たすか比較して判断する。
【００９９】
一例として、発声判断部は、所定の条件を保持する部分から所定の条件「本日は晴天なり」（デジタルデータ）を取り出す。
【０１００】
また、発声取得部で取得した発声情報は、発声情報「本日は晴天なり」（デジタルデータ）である。
【０１０１】
したがって、図９に示すように、所定の条件「本日は晴天なり」（デジタルデータ）と発声情報「本日は晴天なり」（デジタルデータ）を比較し、条件を満足していると判断する。
【０１０２】
＜実施の形態２の動作＞
【０１０３】
次に、実施の形態２の動作を、図１０に示す動作フローチャートに基づいて説明する。
【０１０４】
まず、合言葉サーバ装置は、購入商品に基づいて割り当てられた権利を表象するための権利識別番号と、その商品を購入した者の携帯電話番号である購入者電話番号と、を含む購入者情報を通信により取得する（ステップＳ１００１）。
【０１０５】
次に、ステップＳ１００１で取得した権利識別番号が前記権利を真正に表象するものであるか判断する（ステップＳ１００２）。ステップＳ１００２での判断結果が、前記権利識別番号が真正なものでないとの判断結果である場合には、その旨を通知し、商品購入者は、ステップＳ１００１から再び開始する。
【０１０６】
次に、ステップＳ１００２での判断結果が前記権利識別番号が真正なものであるとの判断結果である場合に、ステップＳ１００１にて取得した購入者情報を参照して、発声要求案内情報保持部に保持されている発声要求案内情報に基づいて、その購入者に対する発声要求案内情報を生成する（ステップＳ１００３）。
【０１０７】
次に、ステップＳ１００３にて生成され、発声要求案内情報保持部に保持されている購入者の発声要求案内情報を、前記購入者電話番号を宛先として送信する（ステップＳ１００４）。
【０１０８】
次に、ステップＳ１００４にて送信された発声要求案内情報に基づいて行われる購入者からの発声情報を取得する（ステップＳ１００５）。
【０１０９】
次に、ステップＳ１００５にて取得した発声情報が所定の条件を充たしているか判断する（ステップＳ１００６）。
【０１１０】
最後に、所定の条件を充たした場合には、景品などが与えられる旨の通知を行う。所定の条件を満足しなかった場合にも、その旨通知する。
【０１１１】
また、所定の条件を満足していない場合でも、抽選によって景品を進呈することもできる。
【０１１２】
（実施の形態３）
【０１１３】
＜実施の形態３の概念＞
【０１１４】
実施の形態３は、実施の形態２における発声要求案内情報に含まれる発声要求が、消費者が購入した商品の宣伝広告のための発声を含む発声要求であることを特徴とする実施の形態２に記載の合言葉サーバ装置に関するものである。それ以外の点は実施の形態２と同様であるので、主に、相違点を説明する。
【０１１５】
＜合言葉サーバ装置＞
【０１１６】
実施の形態３に係る合言葉サーバ装置の構成要件は、図４のような実施の形態２と同様である。
【０１１７】
合言葉サーバ装置は、購入者情報取得部と、判断部と、発声要求案内情報保持部と、発声要求送信部と、発声取得部と、発声判断部と、からなる。
【０１１８】
（購入者情報取得部）
【０１１９】
実施の形態２の（購入者情報取得部）と同様であるので説明は省略する。
【０１２０】
（判断部）
【０１２１】
実施の形態２の（判断部）と同様であるので説明は省略する。
【０１２２】
（発声要求案内情報保持部）
【０１２３】
「発声要求案内情報保持部」は、少なくとも、所定の発声を求めるための発声要求を含む発声要求案内情報を保持する。
【０１２４】
ここで、実施の形態３における「所定の発声」とは、消費者が購入した商品の宣伝広告のための発声である。一例として、消費者が、「○○コーヒー」という商品を購入した場合に、商品「○○コーヒー」を宣伝広告するための発声であり、「○○コーヒーはうまい」のような発声が該当する。
【０１２５】
また、「発声要求」とは、上記所定の発声に対する要求のことをいう。一例として、「「○○コーヒーはうまい」と発声してください」のような所定の発声「○○コーヒーはうまい」に対する要求が該当する。
【０１２６】
また、「発声要求案内情報」とは、所定の発声を求めるための発声要求を含む情報のことをいう。
【０１２７】
一例として、図１１に示すように、発声要求を含む発声要求案内情報「発声要求「「○○コーヒーはうまい」と発声してください」、「発声先の電話番号：０３−１１１１−××××」、「○○コーヒーのコマーシャル情報」、「先着１００名様限定クーポン券の情報」など」が該当する。
【０１２８】
その他の内容は、実施の形態２の（発声要求案内情報保持部）と同様なので説明を省略する。
【０１２９】
（発声要求送信部）
【０１３０】
「発声要求送信部」は、「判断部」での判断結果が前記権利識別番号が真正なものであるとの判断結果である場合に、「発声要求案内情報保持部」に保持されている発声要求案内情報を前記購入者電話番号を宛先として送信する。
【０１３１】
実施の形態３の場合、発声要求案内情報は、発声要求案内情報「発声要求「「○○コーヒーはうまい」と発声してください」、「発声先の電話番号：０３−１１１１−××××」、「○○コーヒーのコマーシャル情報」、「先着１００名様限定クーポン券の情報」など」が該当する。
【０１３２】
その他の内容は、実施の形態２の（発声要求送信部）と同様なので説明を省略する。
【０１３３】
（発声取得部）
【０１３４】
「発声取得部」は、「発声要求送信部」から送信された発声要求案内情報に基づいて行われる発声情報を取得する。
【０１３５】
実施の形態３における発声要求案内情報は、発声要求案内情報「発声要求「「○○コーヒーはうまい」と発声してください」、「発声先の電話番号：０３−１１１１−××××」、「○○コーヒーのコマーシャル情報」、「先着１００名様限定クーポン券の情報」など」となる。
【０１３６】
また、発声取得部で取得された発声情報は、図１２に示すように、「○○コーヒーはうまい」（デジタルデータ）となる。
【０１３７】
その他の内容は、実施の形態２の（発声取得部）と同様なので説明を省略する。
【０１３８】
（発声判断部）
【０１３９】
「発声判断部」は、発声取得部で取得した発声情報が所定の条件を充たしているか判断する。
【０１４０】
ここで「所定の条件」とは、前記発声要求にて要求される発声が行われたなら満たされるであろう条件をいう。
【０１４１】
実施の形態３における所定の条件には、発声要求に宣伝広告のための発声が含まれる。
【０１４２】
例えば、送信した発声要求が「「○○コーヒーはうまい」と発声してください」であるとする。
【０１４３】
このとき、発声判断部は、所定の条件を保持する部分から所定の条件を取り出し、自身に送信されてきた発声情報が、その所定の条件を満たすか比較して判断する。
【０１４４】
一例として、発声判断部は、所定の条件を保持する部分から所定の条件「○○コーヒーはうまい」（デジタルデータ）を取り出す。
【０１４５】
また、発声取得部で取得した発声情報は、発声情報「○○コーヒーはうまい」（デジタルデータ）である。
【０１４６】
したがって、図１３に示すように、所定の条件「○○コーヒーはうまい」（デジタルデータ）と発声情報「○○コーヒーはうまい」（デジタルデータ）を比較し、条件を満足していると判断する。
【０１４７】
＜実施の形態３の動作＞
【０１４８】
＜実施の形態２の動作＞と同様であるので説明は省略する。
【０１４９】
（実施の形態４）
【０１５０】
＜実施の形態４の概念＞
【０１５１】
実施の形態４は、実施の形態１から３のいずれか一つにおける発声要求案内情報に含まれる発声要求の条件が、発声情報に含まれる音の大きさに関する条件である実施の形態１から３のいずれか一に記載の合言葉サーバ装置に関するものである。それ以外の点は同様であるので、主に、相違点を説明する。
【０１５２】
＜合言葉サーバ装置＞
【０１５３】
実施の形態４に係る合言葉サーバ装置の構成要件は、図２のような実施の形態１、または、図４のような実施の形態２あるいは３と同様である。
【０１５４】
＜＜実施の形態１の場合＞＞
【０１５５】
合言葉サーバ装置は、発声要求送信部と、発声取得部と、発声判断部と、からなる。
【０１５６】
（発声要求送信部）
【０１５７】
「発声要求送信部」は、少なくとも、所定の発声を求めるための発声要求を含む発声要求案内情報を送信する。
【０１５８】
ここで、所定の発声を「○○コーヒーはうまい」とする。
【０１５９】
実施の形態４における「発声要求」とは、上記所定の発声に対して、音の大きさの情報を含んだ要求のことをいう。一例として、「「○○コーヒーはうまい」をできるだけ大きな音で発声してください」というような所定の発声「○○コーヒーはうまい」に対する要求が該当する。
【０１６０】
また、実施の形態４における「発声要求案内情報」は、図１４に示すように、発声要求案内情報「発声要求「「○○コーヒーはうまい」をできるだけ大きな音で発声してください」、「発声先の電話番号：０３−１１１１−××××」、「○○コーヒーのコマーシャル情報」、「先着１００名様限定クーポン券の情報」など」が該当する。
【０１６１】
その他の内容は、実施の形態１の（発声要求送信部）と同様であるので説明は省略する。
【０１６２】
（発声取得部）
【０１６３】
「発声取得部」は、発声要求送信部から送信された発声要求案内情報に基づいて行われる発声情報を取得する。
【０１６４】
ここで、実施の形態４における「発声情報」とは、発声に音の大きさの情報を含んだ情報をいう。
【０１６５】
一例として、発声情報は、図１５に示すように、音の大きさの情報を含んだ発声情報「発声音「○○コーヒーはうまい」（デジタルデータ）、音の大きさ（○○ｄＢ）」となる。ここで、発声音「○○コーヒーはうまい」の音の大きさの数値化（ｄＢ値への変換）は、合言葉端末装置側で行ってもよいし、合言葉サーバ装置側で行ってもよい。
【０１６６】
その他の内容は、実施の形態１の（発声取得部）と同様であるので説明は省略する。
【０１６７】
（発声判断部）
【０１６８】
「発声判断部」は、発声取得部で取得した発声情報が所定の条件を充たしているか判断する。
【０１６９】
ここで「所定の条件」とは、前記発声要求にて要求される発声が行われたなら満たされるであろう条件をいう。
【０１７０】
実施の形態４における「所定の条件」には、発声要求に音の大きさに関する条件が含まれる。
【０１７１】
例えば、実施の形態４においては、送信した発声要求が、発声要求「「○○コーヒーはうまい」をできるだけ大きな音で発声してください」であるとする。
【０１７２】
このとき、発声判断部は、所定の条件を保持する部分から所定の条件を取り出し、自身に送信されてきた発声情報が、その所定の条件を満たすか比較して判断する。
【０１７３】
一例として、発声判断部は、所定の条件を保持する部分から所定の条件「発声音「○○コーヒーはうまい」（デジタルデータ）、音の大きさ「○○ｄＢ以上」」を取り出す。
【０１７４】
また、発声取得部で取得した発声情報は、発声情報「発声音「○○コーヒーはうまい」（デジタルデータ）、音の大きさ「○○ｄＢ」」である。
【０１７５】
したがって、図１６に示すように、所定の条件「発声音「○○コーヒーはうまい」（デジタルデータ）、音の大きさ「○○ｄＢ以上」」と発声情報「発声音「○○コーヒーはうまい」（デジタルデータ）、音の大きさ「○○ｄＢ」」を比較し、条件を満足していると判断する。
【０１７６】
＜実施の形態４の動作＞
【０１７７】
＜実施の形態１の動作＞と同様であるので説明は省略する。
【０１７８】
＜＜実施の形態２あるいは３の場合＞＞
【０１７９】
合言葉サーバ装置は、購入者情報取得部と、判断部と、発声要求案内情報保持部と、発声要求送信部と、発声取得部と、発声判断部と、からなる。
【０１８０】
（購入者情報取得部）
【０１８１】
実施の形態２の（購入者情報取得部）と同様であるので説明は省略する。
【０１８２】
（判断部）
【０１８３】
実施の形態２の（判断部）と同様であるので説明は省略する。
【０１８４】
（発声要求案内情報保持部）
【０１８５】
「発声要求案内情報保持部」は、少なくとも、所定の発声を求めるための発声要求を含む発声要求案内情報を保持する。
【０１８６】
ここで、所定の発声を「○○コーヒーはうまい」とする。
【０１８７】
実施の形態４における「発声要求」とは、上記所定の発声に対して、音の大きさの情報を含んだ要求のことをいう。一例として、「「○○コーヒーはうまい」をできるだけ大きな音で発声してください」というような所定の発声「○○コーヒーはうまい」に対する要求が該当する。
【０１８８】
また、実施の形態４における「発声要求案内情報」は、図１４に示すように、発声要求案内情報「発声要求「「○○コーヒーはうまい」をできるだけ大きな音で発声してください」、「発声先の電話番号：０３−１１１１−××××」、「○○コーヒーのコマーシャル情報」、「先着１００名様限定クーポン券の情報」など」が該当する。
【０１８９】
その他の内容は、実施の形態２の（発声要求案内情報保持部）と同様であるので説明は省略する。
【０１９０】
（発声要求送信部）
【０１９１】
「発声要求送信部」は、「判断部」での判断結果が前記権利識別番号が真正なものであるとの判断結果である場合に、「発声要求案内情報保持部」に保持されている発声要求案内情報を前記購入者電話番号を宛先として送信する。
【０１９２】
実施の形態４の場合、発声要求案内情報は、発声要求案内情報「発声要求「「○○コーヒーはうまい」をできるだけ大きな音で発声してください」、「発声先の電話番号：０３−１１１１−××××」、「○○コーヒーのコマーシャル情報」、「先着１００名様限定クーポン券の情報」など」が該当する。
【０１９３】
その他の内容は、実施の形態２の（発声要求送信部）と同様なので説明を省略する。
【０１９４】
（発声取得部）
【０１９５】
実施の形態４の＜＜実施の形態１の場合＞＞の（発声取得部）と同様なので説明を省略する。
【０１９６】
（発声判断部）
【０１９７】
実施の形態４の＜＜実施の形態１の場合＞＞の（発声判断部）と同様なので説明を省略する。
【０１９８】
＜実施の形態４の動作＞
【０１９９】
＜実施の形態２の動作＞と同様であるので説明は省略する。
【０２００】
（実施の形態５）
【０２０１】
＜実施の形態５の概念＞
【０２０２】
実施の形態５は、実施の形態１から３のいずれか一つにおける発声要求案内情報に含まれる発声要求の条件が、発声情報に含まれる発声時間に関する条件である実施の形態１から３のいずれか一に記載の合言葉サーバ装置に関するものである。それ以外の点は同様であるので、主に、相違点を説明する。
【０２０３】
＜合言葉サーバ装置＞
【０２０４】
実施の形態５に係る合言葉サーバ装置の構成要件は、図２のような実施の形態１、または、図４のような実施の形態２あるいは３と同様である。
【０２０５】
＜＜実施の形態１の場合＞＞
【０２０６】
合言葉サーバ装置は、発声要求送信部と、発声取得部と、発声判断部と、からなる。
【０２０７】
（発声要求送信部）
【０２０８】
「発声要求送信部」は、少なくとも、所定の発声を求めるための発声要求を含む発声要求案内情報を送信する。
【０２０９】
ここで、所定の発声を「○○コーヒーはうまい」とする。
【０２１０】
実施の形態５における「発声要求」とは、上記所定の発声に対して、発声時間に関する情報を含んだ要求のことをいう。一例として、「「○○コーヒーはうまい」をできるだけ長く発声してください」というような所定の発声「○○コーヒーはうまい」に対する要求が該当する。
【０２１１】
また、実施の形態５における「発声要求案内情報」は、図１７に示すように、発声要求案内情報「発声要求「「○○コーヒーはうまい」をできるだけ長く発声してください」、「発声先の電話番号：０３−１１１１−××××」、「○○コーヒーのコマーシャル情報」、「先着１００名様限定クーポン券の情報」など」が該当する。
【０２１２】
その他の内容は、実施の形態１の（発声要求送信部）と同様であるので説明は省略する。
【０２１３】
（発声取得部）
【０２１４】
「発声取得部」は、発声要求送信部から送信された発声要求案内情報に基づいて行われる発声情報を取得する。
【０２１５】
ここで、実施の形態５における「発声情報」とは、発声に発声時間の情報を含んだ情報をいう。
【０２１６】
一例として、発声情報は、図１８に示すように、発声時間の情報を含んだ発声情報「発声音「○○コーヒーはうまい」（デジタルデータ）、発声時間（７秒）」となる。ここで、発声音「○○コーヒーはうまい」の発声時間の数値化（秒数への変換）は、合言葉端末装置側で行ってもよいし、合言葉サーバ装置側で行ってもよい。
【０２１７】
その他の内容は、実施の形態１の（発声取得部）と同様であるので説明は省略する。
【０２１８】
（発声判断部）
【０２１９】
「発声判断部」は、発声取得部で取得した発声情報が所定の条件を充たしているか判断する。
【０２２０】
ここで「所定の条件」とは、前記発声要求にて要求される発声が行われたなら満たされるであろう条件をいう。
【０２２１】
実施の形態５における「所定の条件」には、発声要求に発声時間に関する情報が含まれる。
【０２２２】
例えば、実施の形態５においては、送信した発声要求が、発声要求「「○○コーヒーはうまい」をできるだけ長く発声してください」であるとする。
【０２２３】
このとき、発声判断部は、所定の条件を保持する部分から所定の条件を取り出し、自身に送信されてきた発声情報が、その所定の条件を満たすか比較して判断する。
【０２２４】
一例として、発声判断部は、所定の条件を保持する部分から所定の条件「発声音「○○コーヒーはうまい」（デジタルデータ）、音の大きさ「５秒以上」」を取り出す。
【０２２５】
また、発声取得部で取得した発声情報は、発声情報「発声音「○○コーヒーはうまい」（デジタルデータ）、発声時間（７秒）」である。
【０２２６】
したがって、図１９に示すように、所定の条件「発声音「○○コーヒーはうまい」（デジタルデータ）、音の大きさ「５秒以上」」と発声情報「発声音「○○コーヒーはうまい」（デジタルデータ）、発声時間（７秒）」を比較し、条件を満足していると判断する。
【０２２７】
＜実施の形態５の動作＞
【０２２８】
＜実施の形態１の動作＞と同様であるので説明は省略する。
【０２２９】
＜＜実施の形態２あるいは３の場合＞＞
【０２３０】
合言葉サーバ装置は、購入者情報取得部と、判断部と、発声要求案内情報保持部と、発声要求送信部と、発声取得部と、発声判断部と、からなる。
【０２３１】
（購入者情報取得部）
【０２３２】
実施の形態２の（購入者情報取得部）と同様であるので説明は省略する。
【０２３３】
（判断部）
【０２３４】
実施の形態２の（判断部）と同様であるので説明は省略する。
【０２３５】
（発声要求案内情報保持部）
【０２３６】
「発声要求案内情報保持部」は、少なくとも、所定の発声を求めるための発声要求を含む発声要求案内情報を保持する。
【０２３７】
ここで、所定の発声を「○○コーヒーはうまい」とする。
【０２３８】
実施の形態５における「発声要求」とは、上記所定の発声に対して、発声時間の情報を含んだ要求のことをいう。一例として、「「○○コーヒーはうまい」をできるだけ長く発声してください」というような所定の発声「○○コーヒーはうまい」に対する要求が該当する。
【０２３９】
また、実施の形態５における「発声要求案内情報」は、図１７に示すように、発声要求案内情報「発声要求「「○○コーヒーはうまい」をできるだけ長く発声してください」、「発声先の電話番号：０３−１１１１−××××」、「○○コーヒーのコマーシャル情報」、「先着１００名様限定クーポン券の情報」など」が該当する。
【０２４０】
その他の内容は、実施の形態２の（発声要求案内情報保持部）と同様であるので説明は省略する。
【０２４１】
（発声要求送信部）
【０２４２】
「発声要求送信部」は、「判断部」での判断結果が前記権利識別番号が真正なものであるとの判断結果である場合に、「発声要求案内情報保持部」に保持されている発声要求案内情報を前記購入者電話番号を宛先として送信する。
【０２４３】
実施の形態５の場合、発声要求案内情報は、発声要求案内情報「発声要求「「○○コーヒーはうまい」をできるだけ長く発声してください」、「発声先の電話番号：０３−１１１１−××××」、「○○コーヒーのコマーシャル情報」、「先着１００名様限定クーポン券の情報」など」が該当する。
【０２４４】
その他の内容は、実施の形態２の（発声要求送信部）と同様なので説明を省略する。
【０２４５】
（発声取得部）
【０２４６】
実施の形態５の＜＜実施の形態１の場合＞＞の（発声取得部）と同様なので説明を省略する。
【０２４７】
（発声判断部）
【０２４８】
実施の形態５の＜＜実施の形態１の場合＞＞の（発声判断部）と同様なので説明を省略する。
【０２４９】
＜実施の形態５の動作＞
【０２５０】
＜実施の形態２の動作＞と同様であるので説明は省略する。
【０２５１】
（実施の形態６）
【０２５２】
＜実施の形態６の概念＞
【０２５３】
実施の形態６は、実施の形態１から３のいずれか一つにおける発声要求案内情報に含まれる発声要求の条件が、発声情報に含まれる発声場所に関する条件である実施の形態１から３のいずれか一に記載の合言葉サーバ装置に関するものである。それ以外の点は同様であるので、主に、相違点を説明する。
【０２５４】
＜合言葉サーバ装置＞
【０２５５】
実施の形態６に係る合言葉サーバ装置の構成要件は、図２のような実施の形態１、または、図４のような実施の形態２あるいは３と同様である。
【０２５６】
＜＜実施の形態１の場合＞＞
【０２５７】
合言葉サーバ装置は、発声要求送信部と、発声取得部と、発声判断部と、からなる。
【０２５８】
（発声要求送信部）
【０２５９】
「発声要求送信部」は、少なくとも、所定の発声を求めるための発声要求を含む発声要求案内情報を送信する。
【０２６０】
ここで、所定の発声を「○○コーヒーはうまい」とする。
【０２６１】
実施の形態６における「発声要求」とは、上記所定の発声に対して、発声場所に関する情報を含んだ要求のことをいう。一例として、「「○○コーヒーはうまい」を△△駅で発声してください」というような所定の発声「○○コーヒーはうまい」に対する要求が該当する。
【０２６２】
また、実施の形態６における「発声要求案内情報」は、図２０に示すように、発声要求案内情報「発声要求「「○○コーヒーはうまい」を△△駅で発声してください」、「発声先の電話番号：０３−１１１１−××××」、「○○コーヒーのコマーシャル情報」、「先着１００名様限定クーポン券の情報」など」が該当する。
【０２６３】
また、発声場所は、渋谷や新宿などの繁華街であれば、より多くの一般公衆が集まることが期待できるので、より効率的である。
【０２６４】
その他の内容は、実施の形態１の（発声要求送信部）と同様であるので説明は省略する。
【０２６５】
（発声取得部）
【０２６６】
「発声取得部」は、発声要求送信部から送信された発声要求案内情報に基づいて行われる発声情報を取得する。
【０２６７】
ここで、実施の形態６における「発声情報」とは、発声に発声場所の情報を含んだ情報をいう。
【０２６８】
一例として、発声情報は、図２１に示すように、発声場所の情報を含んだ発声情報「発声音「○○コーヒーはうまい」（デジタルデータ）、発声場所（東経○○度・緯度○○度）」となる。ここで、発声音「○○コーヒーはうまい」の発声場所の位置情報（東経○○度・緯度○○度）は、ＧＰＳ（Ｇｌｏｂａｌ  Ｐｏｓｉｔｉｏｎｉｎｇ  Ｓｙｓｔｅｍ）などの方法による位置情報を利用することができる。また、発声場所の位置情報の取得は、合言葉端末装置側で行ってもよいし、合言葉サーバ装置側で行ってもよい。
【０２６９】
その他の内容は、実施の形態１の（発声取得部）と同様であるので説明は省略する。
【０２７０】
（発声判断部）
【０２７１】
「発声判断部」は、発声取得部で取得した発声情報が所定の条件を充たしているか判断する。
【０２７２】
ここで「所定の条件」とは、前記発声要求にて要求される発声が行われたなら満たされるであろう条件をいう。
【０２７３】
実施の形態６における「所定の条件」には、発声要求に発声場所に関する情報が含まれる。
【０２７４】
例えば、実施の形態６においては、送信した発声要求が、発声要求「「○○コーヒーはうまい」を△△駅で発声してください」である。
【０２７５】
このとき、発声判断部は、所定の条件を保持する部分から所定の条件を取り出し、自身に送信されてきた発声情報が、その所定の条件を満たすか比較して判断する。
【０２７６】
一例として、発声判断部は、所定の条件を保持する部分から所定の条件「発声音「○○コーヒーはうまい」（デジタルデータ）、発声場所「東経○○度・緯度○○度」」を取得する。
【０２７７】
また、発声取得部で取得した発声情報は、発声情報「発声音「○○コーヒーはうまい」（デジタルデータ）、発声場所「東経○○度・緯度○○度」」である。
【０２７８】
したがって、図２２に示すように、所定の条件「発声音「○○コーヒーはうまい」（デジタルデータ）、発声場所「東経○○度・緯度○○度」」と発声情報「発声音「○○コーヒーはうまい」（デジタルデータ）、発声場所「東経○○度・緯度○○度」」を比較し、条件を満足していると判断する。
【０２７９】
＜実施の形態６の動作＞
【０２８０】
＜実施の形態１の動作＞と同様であるので説明は省略する。
【０２８１】
＜＜実施の形態２あるいは３の場合＞＞
【０２８２】
合言葉サーバ装置は、購入者情報取得部と、判断部と、発声要求案内情報保持部と、発声要求送信部と、発声取得部と、発声判断部と、からなる。
【０２８３】
（購入者情報取得部）
【０２８４】
実施の形態２の（購入者情報取得部）と同様であるので説明は省略する。
【０２８５】
（判断部）
【０２８６】
実施の形態２の（判断部）と同様であるので説明は省略する。
【０２８７】
（発声要求案内情報保持部）
【０２８８】
「発声要求案内情報保持部」は、少なくとも、所定の発声を求めるための発声要求を含む発声要求案内情報を保持する。
【０２８９】
ここで、所定の発声を「○○コーヒーはうまい」とする。
【０２９０】
実施の形態６における「発声要求」とは、上記所定の発声に対して、発声場所の情報を含んだ要求のことをいう。一例として、「「○○コーヒーはうまい」を△△駅で発声してください」というような所定の発声「○○コーヒーはうまい」に対する要求が該当する。
【０２９１】
また、実施の形態６における「発声要求案内情報」は、図２０に示すように、発声要求案内情報「発声要求「「○○コーヒーはうまい」を△△駅で発声してください」、「発声先の電話番号：０３−１１１１−××××」、「○○コーヒーのコマーシャル情報」、「先着１００名様限定クーポン券の情報」など」が該当する。
【０２９２】
その他の内容は、実施の形態２の（発声要求案内情報保持部）と同様であるので説明は省略する。
【０２９３】
（発声要求送信部）
【０２９４】
「発声要求送信部」は、「判断部」での判断結果が前記権利識別番号が真正なものであるとの判断結果である場合に、「発声要求案内情報保持部」に保持されている発声要求案内情報を前記購入者電話番号を宛先として送信する。
【０２９５】
実施の形態６の場合、発声要求案内情報は、発声要求案内情報「発声要求「「○○コーヒーはうまい」を△△駅で発声してください」、「発声先の電話番号：０３−１１１１−××××」、「○○コーヒーのコマーシャル情報」、「先着１００名様限定クーポン券の情報」など」が該当する。
【０２９６】
また、発声場所は、渋谷や新宿などの繁華街であれば、より多くの一般公衆が集まることが期待できるので、より効率的である。
【０２９７】
その他の内容は、実施の形態２の（発声要求送信部）と同様なので説明を省略する。
【０２９８】
（発声取得部）
【０２９９】
実施の形態６の＜＜実施の形態１の場合＞＞の（発声取得部）と同様なので説明を省略する。
【０３００】
（発声判断部）
【０３０１】
実施の形態６の＜＜実施の形態１の場合＞＞の（発声判断部）と同様なので説明を省略する。
【０３０２】
＜実施の形態６の動作＞
【０３０３】
＜実施の形態２の動作＞と同様であるので説明は省略する。
【０３０４】
（実施の形態７）
【０３０５】
＜実施の形態７の概念＞
【０３０６】
実施の形態７は、実施の形態１から３のいずれか一つにおける発声要求案内情報に含まれる発声要求の条件が、発声情報に含まれる発声回数に関する条件である実施の形態１から３のいずれか一に記載の合言葉サーバ装置に関するものである。それ以外の点は同様であるので、主に、相違点を説明する。
【０３０７】
＜合言葉サーバ装置＞
【０３０８】
実施の形態７に係る合言葉サーバ装置の構成要件は、図２のような実施の形態１、または、図４のような実施の形態２あるいは３と同様である。
【０３０９】
＜＜実施の形態１の場合＞＞
【０３１０】
合言葉サーバ装置は、発声要求送信部と、発声取得部と、発声判断部と、からなる。
【０３１１】
（発声要求送信部）
【０３１２】
「発声要求送信部」は、少なくとも、所定の発声を求めるための発声要求を含む発声要求案内情報を送信する。
【０３１３】
ここで、所定の発声を「○○コーヒーはうまい」とする。
【０３１４】
実施の形態７における「発声要求」とは、上記所定の発声に対して、発声回数に関する情報を含んだ要求のことをいう。一例として、「「○○コーヒーはうまい」をできるだけ多くの回数発声してください」というような所定の発声「○○コーヒーはうまい」に対する要求が該当する。
【０３１５】
また、実施の形態７における「発声要求案内情報」は、図２３に示すように、発声要求案内情報「発声要求「「○○コーヒーはうまい」をできるだけ多くの回数発声してください」、「発声先の電話番号：０３−１１１１−××××」、「○○コーヒーのコマーシャル情報」、「先着１００名様限定クーポン券の情報」など」が該当する。
【０３１６】
その他の内容は、実施の形態１の（発声要求送信部）と同様であるので説明は省略する。
【０３１７】
（発声取得部）
【０３１８】
「発声取得部」は、発声要求送信部から送信された発声要求案内情報に基づいて行われる発声情報を取得する。
【０３１９】
ここで、実施の形態７における「発声情報」とは、発声に発声回数の情報を含んだ情報をいう。
【０３２０】
一例として、発声情報は、図２４に示すように、発声回数の情報を含んだ発声情報「発声音「○○コーヒーはうまい」（デジタルデータ）、発声回数（３回）」となる。ここで、発声音「○○コーヒーはうまい、○○コーヒーはうまい、○○コーヒーはうまい」（アナログデータ）の発声回数の数値化（３回）は、合言葉端末装置側で行ってもよいし、合言葉サーバ装置側で行ってもよい。
【０３２１】
その他の内容は、実施の形態１の（発声取得部）と同様であるので説明は省略する。
【０３２２】
（発声判断部）
【０３２３】
「発声判断部」は、発声取得部で取得した発声情報が所定の条件を充たしているか判断する。
【０３２４】
ここで「所定の条件」とは、前記発声要求にて要求される発声が行われたなら満たされるであろう条件をいう。
【０３２５】
実施の形態７における「所定の条件」には、発声要求に発声回数に関する情報が含まれる。
【０３２６】
例えば、実施の形態７においては、送信した発声要求が、発声要求「「○○コーヒーはうまい」をできるだけ多くの回数発声してください」である。
【０３２７】
このとき、発声判断部は、所定の条件を保持する部分から所定の条件を取り出し、自身に送信されてきた発声情報が、その所定の条件を満たすか比較して判断する。
【０３２８】
一例として、発声判断部は、所定の条件を保持する部分から所定の条件「発声音「○○コーヒーはうまい」（デジタルデータ）、発声回数「３回以上」」を取得する。
【０３２９】
また、発声取得部で取得した発声情報は、発声情報「発声音「○○コーヒーはうまい」（デジタルデータ）、発声回数「３回」」である。
【０３３０】
したがって、図２５に示すように、所定の条件「発声音「○○コーヒーはうまい」（デジタルデータ）、発声回数「３回以上」」と発声情報「発声音「○○コーヒーはうまい」（デジタルデータ）、発声回数「３回」」を比較し、条件を満足していると判断する。
【０３３１】
＜実施の形態７の動作＞
【０３３２】
＜実施の形態１の動作＞と同様であるので説明は省略する。
【０３３３】
＜＜実施の形態２あるいは３の場合＞＞
【０３３４】
合言葉サーバ装置は、購入者情報取得部と、判断部と、発声要求案内情報保持部と、発声要求送信部と、発声取得部と、発声判断部と、からなる。
【０３３５】
（購入者情報取得部）
【０３３６】
実施の形態２の（購入者情報取得部）と同様であるので説明は省略する。
【０３３７】
（判断部）
【０３３８】
実施の形態２の（判断部）と同様であるので説明は省略する。
【０３３９】
（発声要求案内情報保持部）
【０３４０】
「発声要求案内情報保持部」は、少なくとも、所定の発声を求めるための発声要求を含む発声要求案内情報を保持する。
【０３４１】
ここで、所定の発声を「○○コーヒーはうまい」とする。
【０３４２】
実施の形態７における「発声要求」とは、上記所定の発声に対して、発声回数の情報を含んだ要求のことをいう。一例として、「「○○コーヒーはうまい」をできるだけ多くの回数発声してください」というような所定の発声「○○コーヒーはうまい」に対する要求が該当する。
【０３４３】
また、実施の形態７における「発声要求案内情報」は、図２３に示すように、発声要求案内情報「発声要求「「○○コーヒーはうまい」をできるだけ多くの回数発声してください」、「発声先の電話番号：０３−１１１１−××××」、「○○コーヒーのコマーシャル情報」、「先着１００名様限定クーポン券の情報」など」が該当する。
【０３４４】
その他の内容は、実施の形態２の（発声要求案内情報保持部）と同様であるので説明は省略する。
【０３４５】
（発声要求送信部）
【０３４６】
「発声要求送信部」は、「判断部」での判断結果が前記権利識別番号が真正なものであるとの判断結果である場合に、「発声要求案内情報保持部」に保持されている発声要求案内情報を前記購入者電話番号を宛先として送信する。
【０３４７】
実施の形態７の場合、発声要求案内情報は、発声要求案内情報「発声要求「「○○コーヒーはうまい」をできるだけ多くの回数発声してください」、「発声先の電話番号：０３−１１１１−××××」、「○○コーヒーのコマーシャル情報」、「先着１００名様限定クーポン券の情報」など」が該当する。
【０３４８】
その他の内容は、実施の形態２の（発声要求送信部）と同様なので説明を省略する。
【０３４９】
（発声取得部）
【０３５０】
実施の形態７の＜＜実施の形態１の場合＞＞の（発声取得部）と同様なので説明を省略する。
【０３５１】
（発声判断部）
【０３５２】
実施の形態７の＜＜実施の形態１の場合＞＞の（発声判断部）と同様なので説明を省略する。
【０３５３】
＜実施の形態７の動作＞
【０３５４】
＜実施の形態２の動作＞と同様であるので説明は省略する。
【０３５５】
（実施の形態８）
【０３５６】
＜実施の形態８の概念＞
【０３５７】
実施の形態８の概念は実施の形態２の概念と同様である。実施の形態８と実施の形態２の違いは、実施の形態２が、主に、合言葉サーバ装置に関する発明であるのに対して、実施の形態８は、主に、合言葉端末装置に関する発明である点である。
【０３５８】
＜合言葉端末装置＞
【０３５９】
次に合言葉端末装置について、説明する。
【０３６０】
図２６は本件発明の合言葉端末装置である。
【０３６１】
合言葉端末装置（２６０１）は、購入者情報送信部（２６０２）と、発声要求受信部（２６０３）と、発声入力部（２６０４）と、発声情報生成部（２６０５）と、発声情報送信部（２６０６）と、からなる。
【０３６２】
（購入者情報送信部）
【０３６３】
「購入者情報送信部」は、購入者情報を送信する。
【０３６４】
ここで「購入者情報」とは、実施の形態２で述べたように、購入商品に基づいて割り当てられた権利を表象するための権利識別番号と、その商品を購入した者の携帯電話番号である購入者電話番号と、を含む情報である。
【０３６５】
ここで、「権利識別番号」とは、ジュースなどの購入商品に貼付されているシールなどに記載されている番号であり、実際の商品の購入者であることを認証するための番号である。そして、商品購入者は、当該権利識別番号と所定の事項を入力し、当該シールに記載されている連絡先の合言葉サーバ装置に送信することにより、景品を取得するための権利を取得することができる。
【０３６６】
また、「購入者情報」は、前記権利識別番号と購入者番号に加えて、購入者の氏名、年齢、性別、職業、趣味、現在地情報等の情報を含んでいてもよい。
【０３６７】
例えば、この購入者情報送信部では、商品の購入者から、例えば、ジュースなどの購入商品に貼付されているシールなどに記載されている番号である１３桁の権利識別番号「ＡＢＣ０１２３４５６７８９」と購入者の電話番号「０９０−０１２３−××××」が送信される。
【０３６８】
（発声要求受信部）
【０３６９】
「発声要求受信部」は、発声要求案内情報を受信する。
【０３７０】
例えば、実施の形態１において、合言葉サーバ装置の発声要求送信部より送信された発声要求案内情報を受信する。
【０３７１】
一例として、「「○○コーヒーはうまい」と発声してください」のような発声要求案内情報を受信する。
【０３７２】
（発声入力部）
【０３７３】
「発声入力部」は、「発声要求受信部」で受信した発声要求案内情報に基づいて行われる発声を入力する。
【０３７４】
上記の例では、「○○コーヒーはうまい」と発声する。
【０３７５】
（発声情報生成部）
【０３７６】
「発声情報生成部」は、「発声入力部」に入力された発声に基づいて前記発声音を含む発声情報を生成する。
【０３７７】
上記の例では、「○○コーヒーはうまい」を発声情報として生成する。
【０３７８】
発声情報のデジタルデータ化は合言葉端末装置側で行ってもよく、合言葉サーバ装置側で行ってもよい。
【０３７９】
（発声情報送信部）
【０３８０】
「発声情報送信部」は、発声情報生成部で生成された発声情報を送信する。
【０３８１】
上記の例では、「○○コーヒーはうまい」を発声情報として送信する。
【０３８２】
＜実施の形態８の動作＞
【０３８３】
次に、実施の形態８の動作を、図２７に示す動作フローチャートに基づいて説明する。
【０３８４】
合言葉端末装置は、まず、商品の購入者情報を合言葉サーバ装置に送信する（ステップＳ２７０１）。
【０３８５】
次に、発声要求案内情報を合言葉サーバ装置から受信する（ステップＳ２７０２）。
【０３８６】
次に、商品の購入者は、ステップＳ２７０２にて受信した発声要求案内情報に基づいて行われる発声を入力する（ステップＳ２７０３）。
【０３８７】
次に、ステップＳ２７０３にて入力された発声に基づいて前記発声音を含む発声情報を生成する（ステップＳ２７０４）。
【０３８８】
次に、ステップＳ２７０４にて生成された発声情報を送信する（ステップＳ２７０５）。
【発明の効果】
本発明によれば、一般公衆の面前、例えば渋谷、新宿などの繁華街の中で、商品購入者に突然商品名などの合言葉を叫ばせることで一般公衆をビックリさせ、興味を持たせることにより印象を持つ割合を高くし、その商品を認知させることができる。また、発声された合言葉が所定の条件を満足している場合には、景品を進呈することにより、商品購入者に繰り返しその商品を購入してもらう効果がある。
【図面の簡単な説明】
【図１】実施の形態１から８のいずれか一つの概念図。
【図２】実施の形態１、４から７のいずれか一つのブロック構成図。
【図３】実施の形態１、４から７のいずれか一つの動作フローチャート。
【図４】実施の形態２から７のいずれか一つのブロック構成図。
【図５】実施の形態２から８のいずれか一つの購入者情報の説明図。
【図６】実施の形態２から７のいずれか一つの判断部の説明図。
【図７】実施の形態２の発声要求案内情報説明図。
【図８】実施の形態２の発声情報説明図。
【図９】実施の形態２の発声判断部の説明図。
【図１０】実施の形態２から７のいずれか一つの動作フローチャート。
【図１１】実施の形態３の発声要求案内情報説明図。
【図１２】実施の形態３の発声情報説明図。
【図１３】実施の形態３の発声判断部の説明図。
【図１４】実施の形態４の発声要求案内情報説明図。
【図１５】実施の形態４の発声情報説明図。
【図１６】実施の形態４の発声判断部の説明図。
【図１７】実施の形態５の発声要求案内情報説明図。
【図１８】実施の形態５の発声情報説明図。
【図１９】実施の形態５の発声判断部の説明図。
【図２０】実施の形態６の発声要求案内情報説明図。
【図２１】実施の形態６の発声情報説明図。
【図２２】実施の形態６の発声判断部の説明図。
【図２３】実施の形態７の発声要求案内情報説明図。
【図２４】実施の形態７の発声情報説明図。
【図２５】実施の形態７の発声判断部の説明図。
【図２６】実施の形態８のブロック構成図。
【図２７】実施の形態８の動作フローチャート。
【符号の説明】
０２０２  発声要求送信部
０２０３  発声取得部
０２０４  発声判断部
【図１】
2004240895.tif 000003
【図２】
2004240895.tif 000004
【図３】
2004240895.tif 000005
【図４】
2004240895.tif 000006
【図５】
2004240895.tif 000007
【図６】
2004240895.tif 000008
【図７】
2004240895.tif 000009
【図８】
2004240895.tif 000010
【図９】
2004240895.tif 000011
【図１０】
2004240895.tif 000012
【図１１】
2004240895.tif 000013
【図１２】
2004240895.tif 000014
【図１３】
2004240895.tif 000015
【図１４】
2004240895.tif 000016
【図１５】
2004240895.tif 000017
【図１６】
2004240895.tif 000018
【図１７】
2004240895.tif 000019
【図１８】
2004240895.tif 000020
【図１９】
2004240895.tif 000021
【図２０】
2004240895.tif 000022
【図２１】
2004240895.tif 000023
【図２２】
2004240895.tif 000024
【図２３】
2004240895.tif 000025
【図２４】
2004240895.tif 000026
【図２５】
2004240895.tif 000027
【図２６】
2004240895.tif 000028
【図２７】
2004240895.tif 000029